(57)【要約】【課題】劣化した入熱部が剥き出しになることを抑制できる蓄電装置を提供する。【解決手段】電極組立体１２を覆う絶縁シート３３は、電極組立体１２の側面１２ｃからはみ出し、かつ対向した一対の余剰部３４ｂ，３６ｂを有する。一対の余剰部３４ｂ，３６ｂは、熱溶着された溶着部４３を有する。一対の余剰部３４ｂ，３６ｂのうち一方の余剰部３６ｂは、熱溶着時に入熱された入熱部４３ａを有する。入熱部４３ａは、溶着部４３の一部を構成する。他方の余剰部３４ｂは、入熱部４３ａを外側から覆うカバー部３４ｃを有している。【選択図】図５
2018107023.tif 000002
【特許請求の範囲】
【請求項１】
異なる極性の電極同士を絶縁した層状構造を有する電極組立体と、
前記電極組立体を覆う絶縁シートと、を備え、
前記絶縁シートは、前記電極組立体の面からはみ出し、かつ対向した一対の余剰部を有し、前記一対の余剰部は、熱溶着された溶着部を有する蓄電装置であって、
前記一対の余剰部のいずれか一方は、熱溶着時に入熱された入熱部を有し、前記入熱部は、前記溶着部の一部を構成し、
他方の前記余剰部は、前記入熱部を外側から覆うカバー部を有していることを特徴とする蓄電装置。
【請求項２】
前記絶縁シートによって覆われた前記電極組立体は、金属製のケースに収容されている請求項１に記載の蓄電装置。
【請求項３】
前記電極組立体は、積層型の電極組立体であり、
前記溶着部は、前記電極組立体の積層方向中央に位置している請求項１又は請求項２に記載の蓄電装置。
【請求項４】
異なる極性の電極同士を絶縁した層状構造を有する電極組立体と、
前記電極組立体を覆う絶縁シートと、を備え、
前記絶縁シートは、前記電極組立体の面からはみ出し、かつ対向した一対の余剰部を有し、前記一対の余剰部は、熱溶着された溶着部を有する蓄電装置の製造方法であって、
前記一対の余剰部のいずれか一方に入熱して入熱部を形成して前記一対の余剰部の熱溶着を行って前記溶着部を形成し、
他方の前記余剰部が前記入熱部を外側から覆うように、前記一対の余剰部を折り曲げることを特徴とする蓄電装置の製造方法。
【発明の詳細な説明】
【技術分野】
【０００１】
本発明は、異なる極性の電極同士を絶縁した層状構造を有する電極組立体と、電極組立体を覆う絶縁シートとを備える蓄電装置及び蓄電装置の製造方法に関する。
【背景技術】
【０００２】
二次電池やキャパシタのような蓄電装置は再充電が可能であり、繰り返し使用することができるため電源として広く利用されている。二次電池として、矩形シート状の正極及び負極が、間にセパレータが介在する状態でそれぞれ複数積層された積層型の電極組立体を備えたものがある。また、帯状の正極及び帯状の負極が、間に帯状のセパレータが存在する状態で巻回された巻回型の電極組立体を備えたものもある。
【０００３】
電極組立体は、絶縁性を有する外装体によって覆われ、外部や電極組立体を収容するケースから絶縁されるのが一般的である。例えば、特許文献１に記載の電池では、電極組立体（電池要素の一部）は、一対のラミネートシートで構成された外装体によって覆われている。一対のラミネートシートのうち一方のラミネートシートは、他方のラミネートシートより大きく形成されている。そして、一方のラミネートシートの、他方のラミネートシートとの対向領域からのはみ出し部が、他方のラミネートシートの端部及び支持部材を抱え込むように折り返され、折り返された部分に入熱することで、折り返されたラミネートシートと支持部材とが熱溶着されている。
【先行技術文献】
【特許文献】
【０００４】
【特許文献１】再公表ＷＯ２０１２／１７６７１１号公報
【発明の概要】
【発明が解決しようとする課題】
【０００５】
このように熱溶着されたラミネートシートでは、ヒーター等によって直接入熱された部分（入熱部）は他の部分よりも劣化しやすい。そして、入熱部の劣化によりラミネートシートが裂けた場合、その裂けた部分がラミネートシートの外側、すなわち電池の外部に剥き出しになってしまうことがある。このような問題は、ラミネートシートに収容された電極組立体に限らず、絶縁シートによって覆われた電極組立体においても発生する。
【０００６】
本発明は、上記課題を解決するためになされたものであり、その目的は、裂けた入熱部が剥き出しになることを抑制できる蓄電装置及び蓄電装置の製造方法を提供することにある。
【課題を解決するための手段】
【０００７】
上記問題点を解決するための蓄電装置は、異なる極性の電極同士を絶縁した層状構造を有する電極組立体と、前記電極組立体を覆う絶縁シートと、を備え、前記絶縁シートは、前記電極組立体の面からはみ出し、かつ対向した一対の余剰部を有し、前記一対の余剰部は、熱溶着された溶着部を有する蓄電装置であって、前記一対の余剰部のいずれか一方は、熱溶着時に入熱された入熱部を有し、前記入熱部は、前記溶着部の一部を構成し、他方の前記余剰部は、前記入熱部を外側から覆うカバー部を有していることを要旨とする。
【０００８】
これによれば、入熱部が劣化し裂けたとしても、裂けた部分は入熱部の外側に存在する余剰部（他方の余剰部）のカバー部によって覆われた状態になる。よって、裂けた入熱部が剥き出しになることを抑制できる。
【０００９】
また、一対の余剰部のいずれか一方が入熱部を有するため、余剰部の両方が入熱部を有する場合と比較して、熱溶着のために使用されるヒーターの個数を減らすことができる。
また、蓄電装置について、前記絶縁シートによって覆われた前記電極組立体は、金属製のケースに収容されているのが好ましい。
【００１０】
これによれば、カバー部の外側にケースの内側面が位置する。このため、カバー部とケースの内側面との接触により、カバー部で入熱部を覆った状態を維持できる。よって、裂けた入熱部が剥き出しになることをより抑制できる。その結果、裂けた入熱部から電極組立体が剥き出しになっても、カバー部によって電極組立体と金属製のケースとの短絡の発生が抑制される。
【００１１】
また、蓄電装置について、前記電極組立体は、積層型の電極組立体であり、前記溶着部は、前記電極組立体の積層方向中央に位置しているのが好ましい。
これによれば、カバー部で入熱部を覆う構成にしても、カバー部は電極組立体の積層方向の端面より外側にはみ出しにくくなる。よって、蓄電装置の大型化が抑制される。
【００１２】
上記問題点を解決するための蓄電装置の製造方法は、異なる極性の電極同士を絶縁した層状構造を有する電極組立体と、前記電極組立体を覆う絶縁シートと、を備え、前記絶縁シートは、前記電極組立体の面からはみ出し、かつ対向した一対の余剰部を有し、前記一対の余剰部は、熱溶着された溶着部を有する蓄電装置の製造方法であって、前記一対の余剰部のいずれか一方に入熱して入熱部を形成して前記一対の余剰部の熱溶着を行って前記溶着部を形成し、他方の前記余剰部が前記入熱部を外側から覆うように、前記一対の余剰部を折り曲げることを要旨とする。
【００１３】
これによれば、入熱部が劣化し裂けたとしても、裂けた部分は入熱部の外側に存在する余剰部（他方の余剰部）のカバー部によって覆われた状態になる。よって、裂けた入熱部が剥き出しになることを抑制できる。
【００１４】
また、一対の余剰部のいずれか一方が入熱部を有するため、余剰部の両方が入熱部を有する場合と比較して、熱溶着のために使用されるヒーターの個数を減らすことができる。
【発明の効果】
【００１５】
本発明によれば、電極組立体が剥き出しになることを抑制できる。
【図面の簡単な説明】
【００１６】
【図１】実施形態の二次電池の分解斜視図。
【図２】二次電池の外観を示す斜視図。
【図３】電極組立体の構成要素を示す分解斜視図。
【図４】（ａ）（ｂ）（ｄ）は絶縁フィルムによって電極組立体を覆う手順を説明するための概略平面図、（ｃ）は（ｂ）の一部拡大図、（ｅ）は（ｄ）の一部拡大図。
【図５】二次電池の概略断面図。
【図６】別例の電極組立体の斜視図。
【発明を実施するための形態】
【００１７】
以下、本発明を具体化した実施形態を図１〜図５にしたがって説明する。
図１及び図２に示すように、蓄電装置としての二次電池１０は、ケース１１を備える。二次電池１０は、ケース１１に収容された電極組立体１２を備える。ケース１１は、直方体状の本体部材１３と、本体部材１３の開口部１３ａを閉塞する矩形平板状の蓋部材１４とを有する。ケース１１を構成する本体部材１３と蓋部材１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１８】
二次電池１０は、電極組立体１２から電気を取り出すための正極端子１５と負極端子１６を備える。正極端子１５と負極端子１６は、蓋部材１４に所定の間隔をあけて並設された一対の孔１４ａからケース１１の外部に露出される。また、正極端子１５及び負極端子１６には、ケース１１から絶縁するためのリング状の絶縁リング１７ａがそれぞれ取り付けられている。
【００１９】
図３に示すように、電極組立体１２は、異なる極性の電極として、シート状の正極電極２０と、シート状の負極電極２１とを備える。正極電極２０は、正極金属箔（本実施形態ではアルミニウム箔）２２と、その両面に正極活物質を塗布してなる正極活物質層２３を有する。負極電極２１は、負極金属箔（本実施形態では銅箔）２４と、その両面に負極活物質を塗布してなる負極活物質層２５を有する。電極組立体１２は、正極電極２０と負極電極２１の間に微多孔性フィルムのセパレータ２６を介在させた層状構造を有する積層体である。電極組立体１２は、例えば、図５に示すように、複数枚の正極電極２０と複数枚の負極電極２１を交互に積層して構成される。すなわち、電極組立体１２は、正極電極２０と、負極電極２１と、セパレータ２６とから構成された組を複数組有する。
【００２０】
図３に示すように、正極電極２０は、正極金属箔２２からなる正極集電タブ２８を縁部（一端）に備える。正極集電タブ２８は、電極組立体１２を構成する各正極電極２０において同位置に同一形状で形成されている。また、負極電極２１は、負極金属箔２４からなる負極集電タブ３０を縁部（一端）に備える。負極集電タブ３０は、電極組立体１２を構成する各負極電極２１において同位置に同一形状で形成されている。
【００２１】
各正極電極２０は、それぞれの正極集電タブ２８が電極組立体１２の積層方向Ｘに沿って列状に配置されるように積層される。同様に、各負極電極２１は、それぞれの負極集電タブ３０が、正極集電タブ２８と重ならないように電極組立体１２の積層方向Ｘに沿って列状に配置されるように積層される。そして、各正極集電タブ２８は、図１に示すように、電極組立体１２における積層方向Ｘの一端から他端までの範囲に集められて正極集電群３１とされる。正極集電群３１には、正極端子１５が電気的に接合される。また、各負極集電タブ３０も同様に、図１に示すように、電極組立体１２における積層方向Ｘの一端から他端までの範囲に集められて負極集電群３２とされる。負極集電群３２には、負極端子１６が電気的に接続される。
【００２２】
図１に示すように、本実施形態の電極組立体１２は、６面を有する直方体である。電極組立体１２の６面は、電極組立体１２の積層方向Ｘの両面である表面１２ａ，１２ｂと、その２面に連設されるとともに電極組立体１２の積層方向Ｘに直交する４つの側面１２ｃ，１２ｄ，１２ｅ，１２ｆとからなる。側面１２ｅは、正極集電タブ２８及び負極集電タブ３０が突出する集電側側面である。正極集電タブ２８及び負極集電タブ３０は、１つの側面１２ｅから同一方向に突出されている。また、側面１２ｆは、側面１２ｅと対向する反対面としての底側側面である。また、側面１２ｃ，１２ｄは、側面１２ｅ，１２ｆにそれぞれ直交する側面であり、電極組立体１２の積層方向Ｘに直交する幅方向Ｙに沿う方向で対向する面である。
【００２３】
図１及び図５に示すように、電極組立体１２は絶縁シートとしての絶縁フィルム３３で覆われている。絶縁フィルム３３は、電極組立体１２を金属製のケース１１と絶縁するための絶縁性シートであり、例えば、ポリプロピレン（ＰＰ）製である。絶縁フィルム３３は、１枚の絶縁フィルム３３を折り畳み、かつ溶着して袋状に形成されている。
【００２４】
ここで、溶着する前の絶縁フィルム３３について説明する。
図４（ａ）に示すように、絶縁フィルム３３は、電極組立体１２の表面１２ａより大きい矩形状の第１領域３３ａと、電極組立体１２の表面１２ｂより大きい矩形状の第２領域３３ｂと、電極組立体１２の側面１２ｆより大きい矩形状の第３領域３３ｃとを有する。第１領域３３ａは、電極組立体１２の表面１２ａの全面を覆う部位であり、第２領域３３ｂは、電極組立体１２の表面１２ｂの全面を覆う部位であり、第３領域３３ｃは、電極組立体１２の側面１２ｆの全面を覆う部位である。
【００２５】
第１領域３３ａは、電極組立体１２の表面１２ａから幅方向Ｙ一方にはみ出したはみ出し部３４と、幅方向Ｙ他方にはみ出したはみ出し部３５とを含む。第２領域３３ｂは、電極組立体１２の表面１２ｂから幅方向Ｙ一方にはみ出したはみ出し部３６と、幅方向Ｙ他方にはみ出したはみ出し部３７とを含む。第３領域３３ｃは、電極組立体１２の側面１２ｆから幅方向Ｙ一方にはみ出したはみ出し部３８と、幅方向Ｙ他方にはみ出したはみ出し部３９とを含む。電極組立体１２の表面１２ａ，１２ｂからのはみ出し部３４，３６のはみ出し寸法及びはみ出し部３５，３７のはみ出し寸法は、電極組立体１２の積層方向Ｘの寸法より短い。
【００２６】
次に、電極組立体１２を覆った絶縁フィルム３３について説明する。
図１及び図５に示すように、絶縁フィルム３３は、電極組立体１２の側面１２ｃを覆う覆部４１を有する。覆部４１は、はみ出し部３４の根元部分３４ａと、はみ出し部３６の根元部分３６ａとから構成されている。また、絶縁フィルム３３は、覆部４１よりも突出した重合部４２を有する。重合部４２は、はみ出し部３４の先端部分である余剰部３４ｂと、この余剰部３４ｂと対向するはみ出し部３６の先端部分である余剰部３６ｂとから構成されている。絶縁フィルム３３は、はみ出し部３４の余剰部３４ｂとはみ出し部３６の余剰部３６ｂとを熱溶着した溶着部４３を有する。本実施形態の溶着部４３は、電極組立体１２の積層方向Ｘ中央かつ側面１２ｃ近傍に位置する。溶着部４３は、一方の余剰部３６ｂに入熱して形成される。絶縁フィルム３３は、余剰部３６ｂに入熱した入熱部４３ａを有する。入熱部４３ａは、溶着部４３の一部によって構成される。また、絶縁フィルム３３は、入熱部４３ａを外側から覆うカバー部３４ｃを有する。カバー部３４ｃは、一対の余剰部３４ｂ，３６ｂのうち、他方の余剰部３４ｂにおいて溶着部４３でない部分によって構成される。
【００２７】
絶縁フィルム３３は、電極組立体１２の側面１２ｄを覆う覆部４４を有する。覆部４４は、はみ出し部３５の根元部分３５ａと、はみ出し部３７の根元部分３７ａとから構成されている。また、絶縁フィルム３３は、覆部４４よりも突出した重合部４５を有する。重合部４５は、はみ出し部３５の先端部分である余剰部３５ｂと、この余剰部３５ｂと対向するはみ出し部３７の先端部分である余剰部３７ｂとから構成されている。絶縁フィルム３３は、はみ出し部３５の余剰部３５ｂとはみ出し部３７の余剰部３７ｂとを熱溶着した溶着部４６を有する。本実施形態の溶着部４６は、電極組立体１２の積層方向Ｘ中央かつ側面１２ｄ近傍に位置する。溶着部４６は、一方の余剰部３７ｂに入熱して形成される。絶縁フィルム３３は、余剰部３７ｂに入熱した入熱部４６ａを有する。入熱部４６ａは、溶着部４６の一部によって構成される。また、絶縁フィルム３３は、入熱部４６ａを外側から覆うカバー部３５ｃを有する。カバー部３５ｃは、一対の余剰部３５ｂ，３７ｂのうち、他方の余剰部３５ｂにおいて溶着部４６でない部分によって構成される。
【００２８】
このように絶縁フィルム３３は、電極組立体１２の側面１２ｅを除く５面を覆っている。そして、絶縁フィルム３３によって覆われた電極組立体１２は、本体部材１３の開口部１３ａから挿入されて、ケース１１内に収容される。
【００２９】
次に、絶縁フィルム３３によって電極組立体１２を覆う手順を詳述する。
まず、図４（ａ）に示すように、Ｕ字状に折り曲げられた絶縁フィルム３３の間に電極組立体１２を配置する。このとき、絶縁フィルム３３の第１領域３３ａを電極組立体１２の表面１２ａと対向させ、絶縁フィルム３３の第２領域３３ｂを電極組立体１２の表面１２ｂと対向させ、絶縁フィルム３３の第３領域３３ｃを電極組立体１２の側面１２ｆと対向させる。また、電極組立体１２を絶縁フィルム３３の幅方向Ｙ中央に配置することで、第１〜第３領域３３ａ〜３３ｃのはみ出し部３４〜３９は電極組立体１２からはみ出した状態となる。
【００３０】
その後、図４（ｂ）に示すように、幅方向Ｙにおいて電極組立体１２の側面１２ｃ側からはみ出したはみ出し部３４，３６，３８を電極組立体１２の側面１２ｃに沿うように折り曲げる。このとき、はみ出し部３８が内側、はみ出し部３４，３６が外側となるように、はみ出し部３８を先に折り曲げ、その後ではみ出し部３４，３６を折り曲げる。これにより、電極組立体１２の側面１２ｃを覆うはみ出し部３４，３６の根元部分３４ａ，３６ａによって覆部４１が形成され、側面１２ｃを覆うことなく余剰となる先端部分は余剰部３４ｂ，３６ｂとなる。そして、余剰部３４ｂ，３６ｂを積層方向Ｘ中央にて側面１２ｃから離れるように折り曲げて重ねることで、余剰部３４ｂと余剰部３６ｂは重合部４２となる。
【００３１】
次に、図４（ｂ）及び図４（ｃ）に示すように、一対の余剰部３４ｂ，３６ｂのうち一方の余剰部３６ｂの根元部分に対して、ヒーター５１を押し当てることで入熱し、一対の余剰部３４ｂ，３６ｂを熱溶着する。これにより、一対の余剰部３４ｂ，３６ｂには溶着部４３が形成され、一方の余剰部３６ｂにはヒーター５１が押し当てられた部位に入熱部４３ａが形成される。
【００３２】
同様に、幅方向Ｙにおいて電極組立体１２の側面１２ｄ側からはみ出したはみ出し部３５，３７，３９を電極組立体１２の側面１２ｄに沿うように折り曲げる。このとき、はみ出し部３９が内側、はみ出し部３５，３７が外側となるように、はみ出し部３９を先に折り曲げ、その後ではみ出し部３５，３７を折り曲げる。これにより、電極組立体１２の側面１２ｄを覆うはみ出し部３５，３７の根元部分３５ａ，３７ａによって覆部４４が形成され、側面１２ｄを覆うことなく余剰となる先端部分は余剰部３５ｂ，３７ｂとなる。そして、余剰部３５ｂ，３７ｂを積層方向Ｘ中央にて側面１２ｄから離れるように折り曲げて重ねることで、余剰部３５ｂと余剰部３７ｂは重合部４５となる。
【００３３】
次に、一対の余剰部３５ｂ，３７ｂのうち一方の余剰部３７ｂの根元部分に対して、ヒーター５２を押し当てることで入熱し、一対の余剰部３５ｂ，３７ｂを熱溶着する。これにより、一対の余剰部３５ｂ，３７ｂには溶着部４６が形成され、一方の余剰部３７ｂにはヒーター５２が押し当てられた部位に入熱部４６ａが形成される。このように溶着部４３，４６を形成することで、絶縁フィルム３３は有底袋状となる。
【００３４】
そして、図４（ｄ）及び図４（ｅ）に示すように、重合部４２（溶着部４３を有する一対の余剰部３４ｂ，３６ｂ）を矢印α方向に折り曲げることで、一方の余剰部３６ｂを電極組立体１２の側面１２ｃと対向させる。よって、重合部４２を折り曲げた状態では、他方の余剰部３４ｂの一部は、入熱部４３ａを外側から覆うカバー部３４ｃとなる。同様に、重合部４５（溶着部４６を有する一対の余剰部３５ｂ，３７ｂ）を矢印β方向に折り曲げることで、一方の余剰部３７ｂを電極組立体１２の側面１２ｄと対向させる。よって、重合部４５を折り曲げた状態では、他方の余剰部３５ｂの一部は、入熱部４６ａを外側から覆うカバー部３５ｃとなる。
【００３５】
次に、本実施形態の二次電池１０の作用について説明する。
一般に、本実施形態のように熱溶着が行われた絶縁フィルム３３では、ヒーター５１，５２等が直接当てられて入熱された入熱部４３ａ，４６ａは、他の入熱されていない部分と比較して劣化しやすいが、余剰部３４ｂ，３５ｂのカバー部３４ｃ，３５ｃによって外側から覆われている。
【００３６】
次に、本実施形態の効果を記載する。
（１）一対の余剰部３４ｂ，３６ｂのうち、一方の余剰部３６ｂが入熱部４３ａを有し、他方の余剰部３４ｂは、入熱部４３ａを外側から覆うカバー部３４ｃを有している。よって、入熱部４３ａが劣化し裂けたとしても、裂けた部分は入熱部４３ａの外側に存在するカバー部３４ｃに覆われた状態になる。その結果、裂けた入熱部４３ａが剥き出しになることを抑制できる。
【００３７】
同様に、一対の余剰部３５ｂ，３７ｂのうち、一方の余剰部３７ｂが入熱部４６ａを有し、他方の余剰部３５ｂは、外側から覆うカバー部３５ｃを有している。よって、入熱部４６ａが劣化し裂けたとしても、裂けた部分は入熱部４６ａの外側に存在するカバー部３５ｃに覆われた状態になる。その結果、裂けた入熱部４６ａが剥き出しになることを抑制できる。
【００３８】
（２）一対の余剰部３４ｂ，３６ｂのうち、一方の余剰部３６ｂのみが入熱部４３ａを有するため、余剰部３４ｂ及び余剰部３６ｂの両方が入熱部４３ａを有する場合と比較して、熱溶着のために使用されるヒーター５１の個数を減らすことができる。
【００３９】
同様に、一対の余剰部３５ｂ，３７ｂのうち、一方の余剰部３７ｂのみが入熱部４６ａを有するため、余剰部３５ｂ及び余剰部３７ｂの両方が入熱部４６ａを有する場合と比較して、熱溶着のために使用されるヒーター５２の個数を減らすことができる。
【００４０】
（３）電極組立体１２は、絶縁フィルム３３に覆われた状態で金属製のケース１１に収容されている。すなわち、カバー部３４ｃ，３５ｃの外側にケース１１の内側面が位置する。このため、カバー部３４ｃ，３５ｃとケース１１の内側面との接触により、カバー部３４ｃ，３５ｃで入熱部４３ａ，４６ａを覆った状態を維持できる。よって、裂けた入熱部４３ａ，４６ａが剥き出しになることをより抑制できる。その結果、裂けた入熱部４３ａ，４６ａから電極組立体１２が剥き出しになっても、カバー部３４ｃ，３５ｃによって、電極組立体１２と金属製のケース１１との短絡の発生が抑制される。
【００４１】
（４）溶着部４３，４６は、電極組立体１２の積層方向Ｘ中央に位置するため、カバー部３４ｃ，３５ｃで入熱部４３ａ，４６ａを覆う構成にしても、カバー部３４ｃ，３５ｃは電極組立体１２の積層方向Ｘの端面より外側にはみ出さない。よって、二次電池１０の大型化が抑制される。
【００４２】
なお、上記実施形態は、以下のように変更してもよい。
○  電極組立体１２は、巻回型の電極組立体であってもよい。
○  正極電極２０の正極活物質層２３は、正極金属箔２２の両面に形成されたが、片面のみに形成されてもよい。負極電極２１の負極活物質層２５は、負極金属箔２４の両面に形成されたが、片面のみに形成されてもよい。
【００４３】
○  絶縁シートの種類は、絶縁フィルム３３に限定されず、ラミネートシートであってもよい。
○  第１及び第２領域３３ａ，３３ｂのはみ出し部３４〜３７の寸法は、溶着部４３，４６の形成が可能な範囲で変更してもよい。ただし、二次電池１０の大型化を抑制するという観点では、重合部４２，４５を折り曲げた際に電極組立体１２の積層方向Ｘの端面より外側にはみ出さない程度の寸法にするのが好ましい。
【００４４】
○  上記実施形態では、入熱部４３ａを余剰部３６ｂの根元部分としていたが、余剰部３４ｂの根元部分に変更してもよい。この場合、余剰部３６ｂが余剰部３４ｂを外側から覆うように、重合部４２を折り曲げる。
【００４５】
また、入熱部４６ａを余剰部３７ｂの根元部分としていたが、余剰部３５ｂの根元部分に変更してもよい。この場合、余剰部３７ｂが余剰部３５ｂを外側から覆うように、重合部４５を折り曲げる。
【００４６】
○  複数枚の絶縁フィルム３３によって電極組立体１２を覆う構成としてもよい。
○  絶縁フィルム３３の形状等に応じて、絶縁フィルム３３の重合部４２，４５を設ける面を側面１２ｃのみまたは側面１２ｄのみにしてもよく、側面１２ｅ，１２ｆや表面１２ａ，１２ｂに設けてもよい。
【００４７】
○  溶着部４３，４６は、電極組立体１２の積層方向Ｘ中央からずれた位置にあってもよい。
○  上記実施形態では、溶着部４３は一対の余剰部３４ｂ，３６ｂの根元部分に形成され、溶着部４６は一対の余剰部３５ｂ，３７ｂの根元部分に形成されていたが、溶着部４３，４６の形成される範囲は適宜変更してもよい。
【００４８】
○  上記実施形態では、はみ出し部３８，３９を電極組立体１２の側面１２ｃ，１２ｄに沿うように折り曲げた後、はみ出し部３４〜３７を溶着していたが、はみ出し部３４〜３７を溶着した後に、はみ出し部３８，３９を折り曲げてもよい。この場合、図６に示すように、重合部４２，４５を折り曲げる際に、溶着されたはみ出し部３８，３９を重合部４２，４５の折り曲げ方向と同方向に折り曲げる。その後、はみ出し部３８，３９において電極組立体１２の側面１２ｃ，１２ｄからはみ出した部分を側面１２ｃ，１２ｄに沿うように折り曲げる。
【００４９】
○  絶縁フィルム３３の材料は、ポリプロピレン（ＰＰ）に限定されず、ポリフェニレンサルファイド（ＰＰＳ）など他の材料でもよい。
○  溶着部４３，４６を形成するための方法は、ヒーター５１，５２による熱溶着でなく超音波溶着であってもよい。
【００５０】
○  蓄電装置は、例えばキャパシタなど、二次電池以外の蓄電装置にも適用可能である。
○  二次電池１０は、リチウムイオン二次電池でもよいし、他の二次電池であってもよい。要は、正極用の活物質と負極用の活物質との間をイオンが移動するとともに電荷の授受を行うものであればよい。
【００５１】
次に、上記実施形態及び別例から把握できる技術的思想を以下に追記する。
（イ）蓄電装置は二次電池であることを特徴とする蓄電装置。
【符号の説明】
【００５２】
１１…ケース、１２…電極組立体、１２ａ，１２ｂ…面としての表面、１２ｃ，１２ｄ，１２ｅ，１２ｆ…面としての側面、２０…電極としての正極電極、２１…電極としての負極電極、３３…絶縁シートとしての絶縁フィルム、３４ｂ，３５ｂ，３６ｂ，３７ｂ…余剰部、３４ｃ，３５ｃ…カバー部、４２，４５…重合部、４３，４６…溶着部、４３ａ，４６ａ…入熱部、Ｘ…積層方向。
【図１】
2018107023.tif 000003
【図２】
2018107023.tif 000004
【図３】
2018107023.tif 000005
【図４】
2018107023.tif 000006
【図５】
2018107023.tif 000007
【図６】
2018107023.tif 000008